(57)【特許請求の範囲】
【請求項１】
所定枚数の紙幣が結束された紙幣束の紙幣束収納庫への収納または機外への投出を可能とする紙幣束の収納投出装置であって、
紙幣束を略水平状態としてその両端部下面をそれぞれ支持し得る位置と該両端から外れる位置とにわたり水平方向に移動自在に設けられた一対の載置板と、
この載置板の上方に位置し、移動手段によって水平方向に移動され、該一対の載置板上に支持された紙幣束の側面を押動して該紙幣束を水平方向に摺動させる押出し部材と、
前記一対の載置板を水平方向で互いに離反する方向に移動させる載置板開放手段と、
を備え、
前記押出し部材によって紙幣束が前記収納庫の直上位置に至ったとき、前記載置板開放手段により一対の載置板間の間隔を水平方向で紙幣束の長さ以上に離反させることで紙幣束を前記収納庫内に落下させて収納し、
前記載置板開放手段が非作動で前記押出し部材移動手段により押出し部材を前記載置板の末端近くまで水平方向に前進させることで紙幣束を押しきって機外へ投出するようにした、ことを特徴とする紙幣束の収納投出装置。
【請求項２】
前記紙幣束収納庫は２以上の収納部を有し、前記押出し部材により紙幣束が任意の収納部に収納可能とされている請求項１記載の紙幣束の収納投出装置。
【請求項３】
前記紙幣束収納庫は１以上の収納部を有し、該１以上の収納部の各々の上方位置に一対の載置板を有するとともに収納された紙幣束を支持する昇降動自在なステージを有し、該１以上の収納部のうちのいずれかの一対の載置板を離反させたのちこれと対応するステージを上昇させ、前記押出し部材が前記紙幣束の側面を押しきることにより任意の収納部からの紙幣束の投出を可能とされている請求項１記載の紙幣束の収納投出装置。
【発明の詳細な説明】
【０００１】
【発明の属する技術分野】
本発明は、結束された紙幣束を紙幣束収納庫への収納または機外への投出を選択し得るようにした紙幣束の収納投出装置に関する。
【０００２】
【従来の技術】
所定枚数の紙幣を帯封により結束された紙幣束を機体内の収納庫への収納と機体外への投出とを可能とした紙幣束の収納投出装置として、従来特開平６−１６６４３５号公報に示されるものがある。
【０００３】
この公報に示される装置は、複数個配列された紙幣束収納庫にそってエレベータを上下動可能に設け、このエレベータに投出および収納手段を付設し、エレベータを収納庫と対応する位置で停止させて紙幣束の収納投出を行うようになされたものである。
【０００４】
【発明が解決しようとする課題】
しかるに上記従来の技術では、エレベータを上下動させるための駆動手段に加え紙幣束の投出および収納のための作動機構を必要とするため構造が著しく複雑かつ大掛りとなり、部品点数も多くなって勢い高価になるという問題点を有していた。
【０００５】
【課題を解決するための手段】
本発明は、簡単な構造により紙幣束の収納または投出を選択的に行わせることができる紙幣束の収納投出装置を提供することを課題としてなされたもので、所定枚数の紙幣が結束された紙幣束の紙幣束収納庫への収納または機外への投出を可能とする紙幣束の収納投出装置であって、紙幣束を略水平状態としてその両端部下面をそれぞれ支持し得る位置と該両端から外れる位置とにわたり水平方向に移動自在に設けられた一対の載置板と、この載置板の上方に位置し、移動手段によって水平方向に移動され、該一対の載置板上に支持された紙幣束の側面を押動して該紙幣束を水平方向に摺動させる押出し部材と、前記一対の載置板を水平方向で互いに離反する方向に移動させる載置板開放手段と、を備え、前記押出し部材によって紙幣束が前記収納庫の直上位置に至ったとき、前記載置板開放手段により一対の載置板間の間隔を水平方向で紙幣束の長さ以上に離反させることで紙幣束を前記収納庫内に落下させて収納し、前記載置板開放手段が非作動で前記押出し部材移動手段により押出し部材を前記載置板の末端近くまで水平方向に前進させることで紙幣束を押しきって機外へ投出するようにしたことを特徴とする。
【０００６】
また前記紙幣束収納庫を２以上の収納部を有するものとし、前記押出し部材により紙幣束を任意の収納箇所に選択的に収納可能とすることができる。
【０００７】
さらに前記紙幣束収納庫を１以上の収納部を有するものとして、該１以上の収納箇所の各々の上方位置に一対の載置板を設けるとともに収納された紙幣束を支持する昇降動自在なステージを設け、該１以上の収納部のうちのいずれかの一対の載置板を離反させたのちこれと対応するステージを上昇させ、前記押出し部材が前記紙幣束の側面を押しきることにより任意の収納部からの紙幣束の投出を可能とすることを含む。
【０００８】
【発明の実施の形態】
以下、本発明を図面に示す実施の形態を参照して説明する。
図１は本発明を適用する紙幣入出金機１の外観を示し、図２はその略示断面を示すもので、図２において機体２は上部域２Ａと下部域２Ｂとからなっており、下部域２Ｂの前部側には入金口３、出金口４、入金リジェクト口５が配設され、上部域には紙幣束排出口６、結束用紙幣集積部７、一括または金種別の紙幣束収納庫８、紙幣結束部９がそれぞれ配設されており、前記集積部７から送入される所定枚数の紙幣をテープにより結束し、結束後の紙幣束Ｐは前記紙幣束放出口６または紙幣束収納部８へ搬送手段により搬送されるようになっている。
【０００９】
機体２の下部域２Ｂ内には、前記入金口３に続いて紙幣の搬送系が設けられている。この搬送系中には、紙幣の金種、真偽、正損等を識別する識別部１０が設けられており、その下流側に一時保留部１１への搬送路１２と、この搬送路１２（入金方向）と出金方向（出金または結束）との分岐部１３、出金方向において表裏反転部１４を経て出金口４および結束紙幣用集積部７方向への分岐部１５、出金口４と結束用紙幣集積部７との各搬送路１６，１７への分岐部１８が設けられている。また前記入金口３から識別部１０に至る間の途中部には入金リジェクト口５への合流部１９，２０がそれぞれ設けられており、前記搬送路１２は一時保留部１１への送入路２１に連なっている。この送入路２１と前記搬送路１２の識別部１０より上流側とは搬送路２２，２３で連なっている。
【００１０】
前記一時保留部１１の下方には金種別収納部２４が設けられている。この収納部２４には、５千円紙幣収納庫２５、万円紙幣収納庫２６、千円紙幣収納庫２７、出金リジェクト紙幣収納庫２８、損券収納庫２９が設けられ、上記出金リジェクト紙幣収納庫２８を除く他の収納庫２５，２６，２７，２９の直上位置に一時保留紙幣を貯留しておく保留室３０，３０…が設けられており、上記出金リジェクト紙幣収納庫２８へは搬送路２１から直接分岐して送入するようになされている。他の収納庫へは前記搬送路２１から送入搬送路３１，３１…を通じて送入され、繰出しは繰出し搬送路３２，３２…を通じて行われる。前記結束紙幣用集積部７の開口部にはシャッタ３３が設けられている。図１において３４は操作部を示す。
【００１１】
通常の入金の場合は、入金口３から図示しない通常の繰込み手段により紙幣が１枚ずつ繰込まれ、その繰込まれた紙幣は識別部１０において金種、真偽、正損等が識別され、正券紙幣は分岐部１３から搬送路１２、送入搬送路２１，３１…を通じ前記識別された金種に対応する収納庫２５〜２７のいずれかの一時保留室３０へ送入され、収納確認指令により各収納庫２５〜２７へ収納される。
【００１２】
上記収納において、いずれかの収納庫、例えば千円紙幣収納庫２７が規定収納量に近づいているとすると、千円紙幣収納庫２７に一旦受入れたのち再び繰出して識別部１０、分岐部１３、表裏反転部１４を経由し、分岐部１５，１８、搬送路１７を経て結束用紙幣集積部７へ送られて集積され、所定枚数に至ったとき紙幣結束部９へ送られ、テープによる結束が行われる。結束された紙幣束Ｐは、取出す必要がある場合は紙幣束排出口６へ、収納しておく場合は紙幣束収納部８の対応金種収納部へ送られる。上記において千円紙幣が結束用紙幣集積部７へ送られる間は入金口３に残る混合紙幣はそのまま待ちの状態におかれる。
【００１３】
図３〜図６は結束部９で結束された紙幣束Ｐを収納庫８に収納または収納庫８からの取出しを行わせるため、図２の矢印Ａで示す部位に設けられる紙幣束収納投出装置の一例を示している。
【００１４】
図３はその一実施形態を示すもので、この実施形態では上部が開放された箱状の収納庫８内に２箇所の紙幣束収納部８Ａ，８Ｂを有する場合を示している。
【００１５】
上記収納庫８の上部には、その開口部の一端側から他端側にかけて延びる一対の載置板４１，４１が設けられている。これら載置板４１，４１は、その基部４１ａ，４１ａがガイドロッド４２に嵌合されて図３に示す最接近位置から矢印方向に離反し得るよう載置板開閉手段を構成しており、載置板４１，４１の最大離反時には載置板４１，４１間の距離が紙幣束Ｐの長手方向の長さより大きく開くようになされている。
【００１６】
上記載置板４１，４１の移動のための駆動は、例えば前記ガイドロッド４２に反対ネジを刻設してこれに載置板４１，４１の基部４１ａ，４１ａを螺合するようにし、このガイドロッド４２を回動させることにより載置板４１，４１が離接する方向に移動させるようにするなど、適宜な慣用手段を採用することができる。また載置板４１，４１の他端は図示しないガイドにより開閉移動がスムーズに行われるようになされる。
【００１７】
押出し部材４３は、前記一対の載置板４１，４１が紙幣束Ｐの両端部下面を支持する位置（図３の状態）におかれるとき、その載置板４１，４１間の間隔内に進入して載置板４１，４１上の紙幣束Ｐの側面に当接し得る押圧部４３ａを有し、図３に移動手段として象徴的に示すガイドロッド４４にそって載置板４１，４１の基端位置から他端位置近くまでの間にわたって移動可能とされている。
【００１８】
上記移動のための駆動は、例えばガイドロッド４４にそって無端状のベルトを配し、このベルトに押出し部材４３を固定して、ベルトの回動により押出し部材４３を移動させるようにするなど、適宜な手段を採用することができる。
【００１９】
また結束部９において結束された紙幣束Ｐは、図３に２点鎖線図示位置Ｐ１に適宜な手段により供給され、紙幣束Ｐの長手方向両端は図示しないガイドにより載置板４１，４１の外方へ移動しないようになされている。
【００２０】
したがって載置板４１，４１上に供給された紙幣束Ｐを収納庫８の収納部８Ａに収納する場合は、押出し部材４３が前進してその押圧部４３ａにより紙幣束Ｐが押され、図３に実線で示す位置へ移動したとき載置板４１，４１が開いてその間から紙幣束Ｐが収納部８Ａ内に落下収納される。他方の収納部８Ｂに収納する場合には、その直上位置に紙幣束Ｐが至ったとき載置板４１，４１が開き、その箇所に落下収納される。
【００２１】
紙幣束Ｐを機外へ投出する場合は、押出し部材４３を載置板４１，４１の未端近くまで前進させることにより矢印イのように収納庫８へは収納せずに機外への排出口６へ投出することができる。
【００２２】
上記実施形態において収納庫８の収納箇所を２箇所とした場合について示したが、仕様に応じ１箇所あるいは３箇所以上とすることは任意である。
【００２３】
図４、図５は、収納庫８に収納した紙幣束Ｐを機外へ投出する機能を付加した実施形態を示すものである。
【００２４】
この実施形態では、収納庫８を２種の紙幣束Ｐ，Ｐを収納するように区分され、各収納部８Ａ，８Ｂ内には紙幣束Ｐを載置した状態で昇降駆動されるステージ４５，４５が設置されている。
【００２５】
上記各収納部８Ａ，８Ｂの上部には前記実施形態と同様に一対ずつの載置板４１Ａ，４１Ａおよび４１Ｂ，４１Ｂがそれぞれ設けられ、図４の位置から矢印方向に離反し得るようになっている。
【００２６】
図４において符号４６は機外への紙幣束投出部であり、その上端面４６ａは前記載置板４１Ａ，４１Ｂの上面と略同一高さ位置とされている。またＰ１は結束部９から収納または投出のために送り込まれる紙幣束の位置を示す。
【００２７】
したがって収納庫８へ紙幣束Ｐを収納する場合は、その上部の載置板４１Ａ，４１Ａ上へ紙幣束Ｐを押出し部材４３により押送したとき該載置板４１Ａ，４１Ａが離反することにより収納部８Ａ内へ落入収納される。
【００２８】
他方の収納部８Ｂへ収納する場合は、前記載置板４１Ａ，４１Ａは近接した状態のままにおかれ、その上を紙幣束Ｐを滑らせて上記収納部８Ｂ上の載置板４１Ｂ，４１Ｂ上まで押送し、そのとき載置板４１Ｂ，４１Ｂを離反させることにより紙幣束Ｐが収納部８Ｂ内へ落入収納される。
【００２９】
収納部８Ａ，８Ｂ内に収納されている紙幣束Ｐを投出させる場合は次のようにして行われる。まず収納部８Ａ内の紙幣束Ｐを投出させる場合は、その収納部８Ａの載置板４１Ａ，４１Ａは離反させておき、図５のようにその収納部８Ａのステージ４５を上昇させ、他方の収納部８Ｂの載置板４１Ｂ，４１Ｂは閉じた状態におく。次いで押出し部材４３が矢印方向に前進し、その押圧部４３ａで最上位の紙幣束Ｐを押し出し、隣位の載置板４１Ｂ，４１Ｂ上を滑らせて機外への投出部４６へ矢印ロの経路を経て投出される。
【００３０】
他方の収納部８Ｂに収納されている紙幣束Ｐを投出させる場合は、その収納部８Ｂの載置板４１Ｂ，４１Ｂを離反させ、図６のようにその収納部８Ｂのステージ４５を上昇させ、押出し部材４３を矢印方向に前進してその押圧部４３ａで最上位の紙幣束Ｐを投出部４６へ矢印ハのように投出する。
【００３１】
【発明の効果】
以上説明したように本発明によれば、結束された紙幣束を一対の載置板上に支持し、この紙幣束の側面を押出し部材により押動して投出させるとともに、収納時には載置板を互いに水平方向に離反させることによりその間から収納庫内に落下させて収納するようにしたので、投出と収納とを随時切換え使用することができ、その構造も頗る簡単で機構の小型化を達成し安価に提供することができる。
【００３２】
請求項２に記載の発明によれば、紙幣束収納庫の紙幣束収納箇所を２以上とし、金種別に振分けて収納する場合でも各収納箇所の間に仕切板を設ける程度の付加により上記機能を実現することができる。
【００３３】
また請求項３に記載の発明によれば、前記発明における紙幣束収納庫内に紙幣束を上昇させるステージを付設するだけで収納庫からの紙幣束の投出（出金）を可能な構成とすることができる。
【図面の簡単な説明】
【図１】本発明の一実施形態を示す外観図。
【図２】同、縦断側面図。
【図３】紙幣束収納庫への紙幣束収納手段の一例を示す斜視図。
【図４】紙幣束収納庫に紙幣束投出機能を付加した場合の一例を示す斜視図。
【図５】同、投出作用の説明図。
【図６】同、投出作用の説明図。
【符号の説明】
１  紙幣処理装置
２  機体
２Ａ  上部域
２Ｂ  下部域
３  入金口
４  出金口
５  入金リジェクト口
６  紙幣束排出口
７  結束紙幣用集積部
８  紙幣束収納庫
８Ａ，８Ｂ  紙幣束収納部
９  紙幣結束部
１０  識別部
１１  一時保留部
２４  金種別収納部
４１（４１Ａ，４１Ｂ）  載置板
４３  押出し部材
４５  ステージ
【図１】
0003696357.tif 000002
【図２】
0003696357.tif 000003
【図３】
0003696357.tif 000004
【図４】
0003696357.tif 000005
【図５】
0003696357.tif 000006
【図６】
0003696357.tif 000007